(57)【要約】【課題】ＦＡ現場など、水、油、薬品などの液体が使用される環境で、成形時に生じたウェルドラインを有する光電センサを使用した場合でも、ウェルドラインから外部の液体がケース内に侵入してケース内部の投光素子、受光素子、投光素子を駆動する投光回路、受光素子の受光信号を電気処理する受光回路などに悪影響を与えることがない光電センサを提供する。【解決手段】直方体状で少なくともその一面が開放されたケース３の開放面に接する面の外表面上における開放面に接する位置に、成形樹脂が流入する凹部３１を設け、インサート成形時におけるウェルドラインの発生位置を、凹部３１におけるケース３の開放面から離れた位置にする。【選択図】  図６
2004257857.tif 000002
【特許請求の範囲】
【請求項１】
検出領域に光を投光する投光素子と、検出領域からの反射光を受光する受光素子と、前記投光素子および前記受光素子の前面に配置される投光レンズおよび受光レンズが設けられたレンズ部材と、前面側に前記レンズ部材が設けられ、後面側に前記投光素子および前記受光素子が設けられるレンズホルダと、直方体状で少なくともその一面が開放された形状であって、その開放面に前記レンズホルダの少なくとも一部が挿入されて設けられるケースとを備え、
成形樹脂が前記レンズホルダと前記ケースとにまたがるようにしてインサート成形されることにより前記レンズホルダと前記ケースとが一体化され、
前記ケースの前記開放面に接する面の外表面上の前記開放面に接する位置に前記成形樹脂が流入する凹部が設けられ、前記成形樹脂のウェルドラインが前記凹部における前記開放面から離れた位置に形成された反射型の光電センサ。
【請求項２】
検出領域に光を投光する投光器と、検出領域からの光を受光する受光器とを備えた透過型の光電センサであって、
前記投光器は、投光素子と、投光素子の前面に配置される投光レンズと、前面側に前記投光レンズが設けられ、後面側に前記投光素子が設けられる投光側レンズホルダと、直方体状で少なくともその一面が開放された形状であって、その開放面に前記投光側レンズホルダの少なくとも一部が挿入されて設けられる投光側のケースとを備え、
成形樹脂が前記投光側レンズホルダと前記投光側のケースとにまたがるようにしてインサート成形されることにより前記投光側レンズホルダと前記投光側のケースとが一体化され、
前記投光側のケースの前記開放面に接する面の外表面上の前記開放面に接する位置に前記成形樹脂が流入する凹部が設けられ、前記成形樹脂のウェルドラインが前記凹部における前記開放面から離れた位置に形成されたものである透過型の光電センサ。
【請求項３】
検出領域に光を投光する投光器と、検出領域からの光を受光する受光器とを備えた透過型の光電センサであって、
前記受光器は、受光素子と、受光素子の前面に配置される受光レンズと、前面側に前記受光レンズが設けられ、後面側に前記受光素子が設けられる受光側レンズホルダと、直方体状で少なくともその一面が開放された形状であって、その開放面に前記受光側レンズホルダの少なくとも一部が挿入されて設けられる受光側のケースとを備え、
成形樹脂が前記受光側レンズホルダと前記受光側のケースとにまたがるようにしてインサート成形されることにより前記受光側レンズホルダと前記受光側のケースとが一体化され、
前記受光側のケースの前記開放面に接する面の外表面上の前記開放面に接する位置に前記成形樹脂が流入する凹部が設けられ、前記成形樹脂のウェルドラインが前記凹部における前記開放面から離れた位置に形成されたものである透過型の光電センサ。
【請求項４】
前記凹部が、前記ケースの互いに対向する二つの面における、前記開放面に接する辺の中央部に設けられた請求項１ないし３に記載の光電センサ。
【請求項５】
検出領域に光を投光する投光素子と、検出領域からの反射光を受光する受光素子と、前記投光素子および前記受光素子の前面に配置される投光レンズおよび受光レンズが設けられたレンズ部材と、前面側に前記レンズ部材が設けられ、後面側に前記投光素子および前記受光素子が設けられるレンズホルダと、直方体状で少なくともその一面が開放された形状であって、その開放面に前記レンズホルダの少なくとも一部が挿入されて設けられるケースとを備え、
成形樹脂が前記レンズホルダと前記ケースとにまたがるようにしてインサート成形されることにより前記レンズホルダと前記ケースとが一体化され、
前記レンズホルダの外表面上に、前記レンズホルダが前記ケース内に挿入された状態において前記開放面に接続し前記成形樹脂が流入する凹部が設けられ、前記成形樹脂のウェルドラインが前記凹部における前記ケースの前記開放面から離れた位置に形成された反射型の光電センサ。
【請求項６】
検出領域に光を投光する投光器と、検出領域からの光を受光する受光器とを備えた透過型の光電センサであって、
前記投光器は、投光素子と、投光素子の前面に配置される投光レンズと、前面側に前記投光レンズが設けられ、後面側に前記投光素子が設けられる投光側レンズホルダと、直方体状で少なくともその一面が開放された形状であって、その開放面に前記投光側レンズホルダの少なくとも一部が挿入されて設けられる投光側ケースとを備え、
成形樹脂が前記投光側レンズホルダと前記投光側ケースとにまたがるようにしてインサート成形されることにより前記投光側レンズホルダと前記投光側ケースとが一体化され、
前記投光側レンズホルダの外表面上に、前記投光側レンズホルダが前記投光側ケース内に挿入された状態において前記開放面に接続し前記成形樹脂が流入する凹部が設けられ、前記成形樹脂のウェルドラインが前記凹部における前記投光側ケースの前記開放面から離れた位置に形成されたものである透過型の光電センサ。
【請求項７】
検出領域に光を投光する投光器と、検出領域からの光を受光する受光器とを備えた透過型の光電センサであって、
前記受光器は、受光素子と、受光素子の前面に配置される受光レンズと、前面側に前記受光レンズが設けられ、後面側に前記受光素子が設けられる受光側レンズホルダと、直方体状で少なくともその一面が開放された形状であって、その開放面に前記受光側レンズホルダの少なくとも一部が挿入されて設けられる受光側ケースとを備え、
成形樹脂が前記受光側レンズホルダと前記受光側ケースとにまたがるようにしてインサート成形されることにより前記受光側レンズホルダと前記受光側ケースとが一体化され、
前記受光側レンズホルダの外表面上に、前記受光側レンズホルダが前記受光側ケース内に挿入された状態において前記開放面に接続し前記成形樹脂が流入する凹部が設けられ、前記成形樹脂のウェルドラインが前記凹部における前記受光側ケースの前記開放面から離れた位置に形成されたものである透過型の光電センサ。
【請求項８】
検出領域に光を投光する投光素子と、検出領域からの反射光を受光する受光素子と、前記投光素子および前記受光素子の前面に配置される投光レンズおよび受光レンズが設けられたレンズ部材と、前面側に前記レンズ部材が設けられ、後面側に前記投光素子および前記受光素子が設けられるレンズホルダと、直方体状で少なくともその一面が開放された形状であって、その開放面に前記レンズホルダの少なくとも一部が挿入されて設けられるケースとを備え、
成形樹脂が前記レンズホルダと前記ケースとにまたがるようにしてインサート成形されることにより前記レンズホルダと前記ケースとが一体化され、
前記ケースの前記開放面に接する面の内表面上の前記開放面に接する位置に凹部が設けられ、この凹部は前記ケースの内方に向けて開放された部分が前記レンズホルダに覆われることにより前記開放面においてのみ開放された空間を形成し、この空間に前記成形樹脂が流入するものであり、前記成形樹脂のウェルドラインが前記成形樹脂の外表面から離れた位置の前記凹部内に形成された反射型の光電センサ。
【請求項９】
検出領域に光を投光する投光器と、検出領域からの光を受光する受光器とを備えた透過型の光電センサであって、
前記投光器は、投光素子と、投光素子の前面に配置される投光レンズと、前面側に前記投光レンズが設けられ、後面側に前記投光素子が設けられる投光側レンズホルダと、直方体状で少なくともその一面が開放された形状であって、その開放面に前記投光側レンズホルダの少なくとも一部が挿入されて設けられる投光側ケースとを備え、
成形樹脂が前記投光側レンズホルダと前記投光側ケースとにまたがるようにしてインサート成形されることにより前記投光側レンズホルダと前記投光側ケースとが一体化され、
前記投光側ケースの前記開放面に接する面の内表面上の前記開放面に接する位置に凹部が設けられ、この凹部は前記投光側ケースの内方に向けて開放された部分が前記投光側レンズホルダに覆われることにより前記開放面においてのみ開放された空間を形成し、この空間に前記成形樹脂が流入するものであり、前記成形樹脂のウェルドラインが前記成形樹脂の外表面から離れた位置の前記凹部内に形成されたものである透過型の光電センサ。
【請求項１０】
検出領域に光を投光する投光器と、検出領域からの光を受光する受光器とを備えた透過型の光電センサであって、
前記受光器は、受光素子と、受光素子の前面に配置される受光レンズと、前面側に前記受光レンズが設けられ、後面側に前記受光素子が設けられる受光側レンズホルダと、直方体状で少なくともその一面が開放された形状であって、その開放面に前記受光側レンズホルダの少なくとも一部が挿入されて設けられる受光側ケースとを備え、
成形樹脂が前記受光側レンズホルダと前記受光側ケースとにまたがるようにしてインサート成形されることにより前記受光側レンズホルダと前記受光側ケースとが一体化され、
前記受光側ケースの前記開放面に接する面の内表面上の前記開放面に接する位置に凹部が設けられ、この凹部は前記受光側ケースの内方に向けて開放された部分が前記受光側レンズホルダに覆われることにより前記開放面においてのみ開放された空間を形成し、この空間に前記成形樹脂が流入するものであり、前記成形樹脂のウェルドラインが前記成形樹脂の外表面から離れた位置の前記凹部内に形成されたものである透過型の光電センサ。
【発明の詳細な説明】
【０００１】
【発明の属する技術分野】
この発明は、光によって物体の検出を行う光電センサに関するもので、特に光電センサの密閉性の改善に関する。
【０００２】
【従来の技術】
光電センサは、ＦＡ現場など、水、油、薬品などの液体が使用される環境で使用されるケースが多く、このような環境下で使用される光電センサには耐水性、耐油性、耐薬品性が要求され、その構造には高い密閉性が要求される。
【０００３】
光電センサの密閉構造に関して、特開平４−３４２９１６号公報（特許文献１２〜３頁、図１〜図４  参照）には、一体成形により製造される光電スイッチが記載されている。前記光電スイッチは、ベースと、カバーと、投光用レンズ及び受光用レンズからなるレンズ体とを組み立てた後、それらの接合部に形成された溝に樹脂を注入して一体成形で製造するが、前記一体成形用樹脂をレンズ前面に延設して投光用レンズ又は受光用レンズのいずれか一方を覆う被覆部を形成して、別部材を設ける必要がなく安価に透過形光電スイッチの投光器又は受光器、反射形光電スイッチのいずれの形式にでも製造できることを特徴としている。
【０００４】
【特許文献１】
特開平４−３４２９１６号公報
【０００５】
【発明が解決しようとする課題】
しかし、特許文献１には、光電センサの外部から水、油、薬品などの液体が侵入する原因となる成形時に生じるウェルドラインの制御に関して配慮されていない。ウェルドラインは、成形時に成形樹脂同士が衝突して冷却され、凝固して生じるため、ウェルドラインでは成形樹脂同士が完全に密着凝固されていなく、微小な隙間が生じている。したがって、水、油、薬品などの液体が使用される環境下で、ウェルドラインが発生した光電センサを使用すると、ウェルドラインから水、油、薬品などの液体が侵入してケース内部に浸透し、ケース内部の投光素子、受光素子、投光素子を駆動する投光回路、受光素子の受光信号を電気処理する受光回路などに悪影響を与える虞があった。
【０００６】
この発明は、上記問題点に着目してなされたものであり、成形時に生じるウェルドラインから外部の液体がケース内に侵入することのない光電センサを提供することを目的とする。
【０００７】
【課題を解決するための手段】
前記課題を解決するため、この発明による反射型の光電センサは、検出領域に光を投光する投光素子と、検出領域からの反射光を受光する受光素子と、投光素子および受光素子の前面に配置される投光レンズおよび受光レンズが設けられたレンズ部材と、前面側にレンズ部材が設けられ、後面側に投光素子および受光素子が設けられるレンズホルダと、直方体状で少なくともその一面が開放された形状であって、その開放面にレンズホルダの少なくとも一部が挿入されて設けられるケースとを備え、成形樹脂がレンズホルダとケースとにまたがるようにしてインサート成形されることによりレンズホルダとケースとが一体化され、ケースの開放面に接する面の外表面上の開放面に接する位置に成形樹脂が流入する凹部が設けられ、成形樹脂のウェルドラインが凹部における開放面から離れた位置に形成されてなる。
【０００８】
投光素子を駆動する投光回路は投光素子とともにケース内に配置してもケース外に設けてもよく、同様に受光素子の受光信号を電気処理する受光回路は受光素子とともにケース内に配置してもケース外に設けてもよい。
【０００９】
ここで、「インサート成形」とは、成形金型に一または複数の部品を配置し、成形金型の一または複数のゲート部から成形金型内に成形樹脂を充填することにより、前記部品を成形樹脂とともに一体化するものである。前記ゲート部から充填された成形樹脂は、成形金型内で成形樹脂同士が衝突し、さらに進行する領域があれば進行するが、さらに進行する領域がない場合はその行き止まりの領域で冷却されて凝固し、その結果ウェルドラインが生じる。
【００１０】
ケースは直方体状で開放面からレンズホルダが挿入されるため、ケース内は空間が形成されており、この空間を囲む面の外表面上でかつケースの開放面に接する位置に凹部が設けられる。
【００１１】
インサート成形において成形樹脂はレンズホルダとケースとにまたがるようにして充填され、前記凹部のケースの開放面に接する領域から凹部へと流入し、成形樹脂同士が凹部における開放面から離れた位置で衝突して冷却されて凝固し、その位置にウェルドラインが形成される。
【００１２】
この発明による反射型の光電センサを用いると、インサート成形時に発生するウェルドラインが、ケースの開放面に接する面の外表面上の開放面に接する位置に設けられた凹部であって、ケースの開放面から離れた位置に形成されるため、反射型の光電センサが、ＦＡ現場など、水、油、薬品などの液体が使用される環境で使用されてウェルドラインから前記液体が浸透しても、浸透した前記液体はケースの開放面に到達せず、したがってケースの開放面からケース内部に浸透することはなく、ケース内部の投光素子や受光素子や投光素子を駆動する投光回路や受光素子の受光信号を電気処理する受光回路などに悪影響を与えることがない。
【００１３】
この発明の一実施態様においては、凹部が、ケースの互いに対向する二つの面における、開放面に接する辺の中央部に設けられる。
【００１４】
この発明によると、インサート成形時に発生するウェルドラインが、ケースの互いに対向する二つの面における、開放面に接する辺の中央部に形成され、ウェルドラインの位置がケース外形の中央部でかつ対称となる二箇所の位置であるため、成形金型におけるゲート部の設計が容易に行える。すなわち、一または複数のゲート部から充填された成形樹脂同士が衝突し、冷却されて凝固する位置が成形金型の中央部でかつ対称となる二箇所の位置であるため、ゲート部の設計が容易に行える。
【００１５】
またこの発明による反射型の光電センサは、検出領域に光を投光する投光素子と、検出領域からの反射光を受光する受光素子と、投光素子および受光素子の前面に配置される投光レンズおよび受光レンズが設けられたレンズ部材と、前面側にレンズ部材が設けられ、後面側に投光素子および受光素子が設けられるレンズホルダと、直方体状で少なくともその一面が開放された形状であって、その開放面にレンズホルダの少なくとも一部が挿入されて設けられるケースとを備え、成形樹脂がレンズホルダとケースとにまたがるようにしてインサート成形されることによりレンズホルダとケースとが一体化され、レンズホルダの外表面上に、レンズホルダがケース内に挿入された状態において開放面に接続し成形樹脂が流入する凹部が設けられ、成形樹脂のウェルドラインが凹部におけるケースの開放面から離れた位置に形成されてなる。
【００１６】
ここで、レンズホルダはケース内に挿入されるが、レンズホルダの外表面上の一部はケース内に挿入されておらず、このケース外のレンズホルダの外表面上に凹部が設けられる。
【００１７】
この発明による反射型の光電センサを用いると、インサート成形時に発生するウェルドラインが、ケース外でかつケースの開放面から離れた位置のレンズホルダの外表面上の凹部に形成されるため、反射型の光電センサが、ＦＡ現場など、水、油、薬品などの液体が使用される環境で使用されてウェルドラインから前記液体が浸透しても、前述と同様にケース内部の投光素子や受光素子や投光素子を駆動する投光回路や受光素子の受光信号を電気処理する受光回路などに悪影響を与えることがない。
【００１８】
またこの発明による反射型の光電センサは、検出領域に光を投光する投光素子と、検出領域からの反射光を受光する受光素子と、投光素子および受光素子の前面に配置される投光レンズおよび受光レンズが設けられたレンズ部材と、前面側にレンズ部材が設けられ、後面側に投光素子および受光素子が設けられるレンズホルダと、直方体状で少なくともその一面が開放された形状であって、その開放面にレンズホルダの少なくとも一部が挿入されて設けられるケースとを備え、成形樹脂がレンズホルダとケースとにまたがるようにしてインサート成形されることによりレンズホルダとケースとが一体化され、ケースの開放面に接する面の内表面上の開放面に接する位置に凹部が設けられ、この凹部はケースの内方に向けて開放された部分がレンズホルダに覆われることにより開放面においてのみ開放された空間を形成し、この空間に成形樹脂が流入するものであり、成形樹脂のウェルドラインが成形樹脂の外表面から離れた位置の凹部内に形成されてなる。
【００１９】
ここで、「この凹部はケースの内方に向けて開放された部分がレンズホルダに覆われる」とは、ケースにレンズホルダを挿入すると、ケースの内表面上に設けられた凹部がレンズホルダの外表面に覆われることである。ここで、「開放面においてのみ開放された空間を形成」とは、凹部がケースの内表面上におけるケースの開放面に接する位置に設けられるため、ケースにレンズホルダが挿入されると、凹部におけるケースの開放面側のみレンズホルダの外表面に覆われずに開放され、その他はレンズホルダの外表面に覆われることである。この開放された空間から凹部へ成形樹脂が流入し、成形樹脂同士が凹部において衝突して冷却されて凝固し、その位置にウェルドラインが形成される。凹部はケースの内表面上に設けられているため、ウェルドラインは成形樹脂の外表面には表れない。
【００２０】
この発明による反射型の光電センサを用いると、インサート成形時に発生するウェルドラインが成形樹脂の外表面から離れた位置に形成されるため、反射型の光電センサが、ＦＡ現場など、水、油、薬品などの液体が使用される環境で使用されても、反射型の光電センサの外表面にウェルドラインが露出していないため、前記液体はケース内部に浸透することはなく、ケース内部の投光素子や受光素子や投光素子を駆動する投光回路や受光素子の受光信号を電気処理する受光回路などに悪影響を与えることがない。
【００２１】
この発明は透過型の光電センサにも適用可能であり、透過型の光電センサの投光器と受光器との双方に適用することも、投光器または受光器の一方にのみ適用することも可能であり、それぞれ反射型の光電センサにこの発明を適用したときと同様の効果を奏する。
【００２２】
【発明の実施の形態】
図１はこの発明の第一実施例である反射型光電センサ１の外観図である。投光レンズ２１から検出領域に向けて投光され、検出領域からの反射光を受光レンズ２２で受光して検出物体を検出する。反射型光電センサ１のケース３と表示部７０とケーブル８１とセンサ取り付け穴４２とについては、後で詳細に述べる。
【００２３】
図２はこの発明の第一実施例の反射型光電センサ１におけるケース３の外観図である。ケース３は略直方体形状で、直方体における六面の側面の内三面が開放されており、互いに対向する二つの面の外表面上における開放面に接する辺の中央部に、それぞれ凹部３１が設けられている。凸部３２は後で説明するレンズホルダとの挿入時における嵌め合い、位置決め固定のための突起であり、凹部３３は後で説明する表示カバー６との挿入時における嵌め合い、位置決め固定のためのへこみである。ケース３は耐油性に強いＰＢＴを用いて成形で形成され、凹部３１の周辺部の面の肉厚は１ｍｍで、凹部３１の深さは０．５ｍｍである。
【００２４】
次に、このケース３を用いたこの発明の第一実施例である反射型光電センサ１の構造について説明する。図３はこの発明の反射型光電センサ１の組立図である。この発明の第一実施例である反射型光電センサ１は、レンズ部材２、レンズホルダ４、投受光基板５、ケーブルアッシー８、ケース３および表示部７０から構成されている。
【００２５】
レンズ部材２は、投光レンズ２１と受光レンズ２２とを含む一体部材で構成され、耐油性に強いＰＢＴを用いて成形で形成される。投受光基板５には、投光素子５１、受光素子５２、投光素子５１を駆動する図示しない投光回路、受光素子５２の受光信号を電気処理する図示しない受光回路とが搭載されている。レンズホルダ４は、黒色ＰＢＴからなり、一面にレンズ部材２を保持する保持部が形成され、レンズ部材２が保持される面と反対の面に投受光基板５が保持される保持部が形成され、投光素子５１から照射される光を投光レンズ２１に導き、受光レンズ２２から入射される光を受光素子５２に導くために二箇所に穴４１が設けられている。センサ取り付け穴４２は、反射型光電センサ１を使用する際、ネジやボルトなどを用いて固定するための穴である。
【００２６】
表示部７０は、表示基板７と表示カバー６とからなり、表示基板７には、安定表示灯７１、動作表示灯７２とが搭載されている。表示カバー６は、その裏面に表示基板７を保持する保持部が形成されており、凸部６１は表示基板７を位置決め固定するための突起である。表示カバー６の材質は、反射型光電センサ１を使用するユーザが安定表示灯７１と動作表示灯７２とを視認できるように透明ＰＢＴから形成されており、レンズ部６３を介して安定表示灯７１と動作表示灯７２を表示する。また表示カバー６には、感度ボリウム６２が設けられ、感度ボリウム６２は図示しないＯリングを介して表示基板７に電気的に接続される。凸部６４は、後で説明するケース３との挿入時における嵌め合い、位置決め固定のための突起である。
【００２７】
ケーブルアッシー８は、投受光基板５と表示基板７とに反射型光電センサ１の外部から電源を供給し、また受光回路で電気処理された信号を反射型光電センサ１の外部に送るためのケーブル８１と、ケーブルを保持するケーブルホルダ８２とから構成されている。
【００２８】
この反射型光電センサ１の製造方法は、初めにレンズ部材２と投受光基板５を保持したレンズホルダ４と、表示基板７を保持した表示カバー６と、ケーブルアッシー８とをケース３内に挿入する。レンズホルダ４はケース３内に挿入されると、ケース３の凸部３２によって位置決め固定され、また表示カバー６はケース３内に挿入されると、表示カバー６の凸部６４がケース３の凹部３３に嵌め合わされ位置決め固定される。
【００２９】
図４は、レンズホルダ４と表示カバー６とケーブルアッシー８とが挿入されたケース３である。また図４（１）はケース３を側面から見た図であり、図４（２）はレンズ部材２の上面から見た図であり、図４（３）は図４（１）のＡ−Ａ断面図である。
【００３０】
次に、レンズホルダ４と表示カバー６とケーブルアッシー８とが挿入されたケース３を成形金型に設置してインサート成形を行う。図５は、成形金型に前記ケース３を設置した図であり、図中斜線部が成形金型である。成形金型のゲート９は、上部と左右に設けられ、図ではゲート９は四箇所であるが、厚み方向にも同位置にそれぞれ設けられているため合計八箇所である。成形金型内にゲート９から成形樹脂を注入して、レンズホルダ４と表示カバー６とケーブルアッシー８とケース３とに成形樹脂がまたがるように充填して密着一体固定させ、所定の外形状の反射型光電センサ１を製造する。成形樹脂は、耐油性に優れかつ接着性にも優れた変性ＰＳＦが用いられる。
【００３１】
八箇所のゲート９から注入された成形樹脂は矢印Ｂにそって成形金型の中央部へ進行し、レンズホルダ４の中央部で成形樹脂同士が衝突し、さらに凹部３１へ流入し、さらに進行する領域がないため凹部３１の下端Ｃ部で冷却され、凝固する。ウェルドラインは成形樹脂が最後に衝突して冷却され、凝固するＣ部に発生する。すなわちウェルドラインは凹部３１におけるケースの開放面から離れたＣ部に形成される。
【００３２】
図６は、インサート成形後の反射型光電センサ１である。図６（１）は反射型光電センサ１を側面から見た図であり、図６（２）はレンズ部材２の上面から見た図であり、図６（３）は図６（１）のＡ−Ａ断面図である。図中斜線部は前記製造方法で充填された成形樹脂であり、Ｃ部にウェルドラインが形成されている。
【００３３】
この反射型光電センサ１を、水、油、薬品などの液体が使用される環境で使用した場合、Ｃ部のウェルドラインから前記液体が浸透するが、前記液体は図６（３）に示されるケース３の凹部３１の底面であるＤ部には浸透するが、ケース３の開放面であるＥ部に到達することはなく、したがってケース３の開放面からケース３の内部に浸透することはなく、ケース３内部の投光素子５１や受光素子５２や投光素子５１を駆動する投光回路や受光素子５２の受光信号を電気処理する受光回路などに悪影響を与えることがない。
【００３４】
本発明のようにウェルドラインを意識した構成にしない場合、インサート成形において図６（１）のＦ部において成形樹脂同士が衝突し、さらに進行する領域がないためその行き止まりの領域で冷却されて凝固し、その結果Ｆ部にウェルドラインが生じる。そのような反射型光電センサを、水、油、薬品などの液体が使用される環境で使用した場合、Ｆ部のウェルドラインから前記液体が浸透し、その結果前記液体は図６（３）におけるケース３の開放面であるＥ部に到達し、さらにケース３の内表面とレンズホルダ４の外表面との接合面を伝わってケース３内部に到達し、投光素子５１や受光素子５２や投光素子５１を駆動する投光回路や受光素子５２の受光信号を電気処理する受光回路などに悪影響を与える。
【００３５】
次に、この発明の第二実施例の反射型光電センサ１を示す。図７はこの発明の第二実施例の反射型光電センサ１を側面から見た図である。図７において、上述した図６（１）と同一の構成要素については同一の符号を付与し説明を簡略する。第二実施例の反射型光電センサ１のそれぞれの部品の材質は第一実施例と同じで、第一実施例と同様にインサート成形によって製造される。
【００３６】
第二実施例のレンズホルダ４はケース３内に挿入されるが、レンズホルダ４の外表面上の一部はケース３内に挿入されておらず、このケース３外のレンズホルダ４の外表面上に凹部４４が設けられる。凸部４３は凹部４４より高く、凸部４３の高さはケース３の外表面の高さとほぼ同じで反射型光電センサ１の外表面となり、また凹部４４の高さはレンズホルダ４におけるケース３内に挿入される部分の面の高さとほぼ同じである。ケース３には第一実施例の凹部３１は設けない。
【００３７】
インサート成形において、第一実施例と同様の成形金型のゲート位置から成形樹脂を注入すると、成形樹脂は矢印Ｈにそって成形金型の中央部へ進行し、レンズホルダ４の中央部におけるＪ部で衝突し、さらにＧ部へ流入し、さらに進行する領域がないためＧ部で冷却され、凝固する。ウェルドラインは成形樹脂が最後に衝突して冷却され、凝固するＧ部に発生する。図中、斜線部はインサート成形において充填された成形樹脂である。
【００３８】
第二実施例の反射型光電センサ１のウェルドラインは、ケース３外でかつケース３の開放面から離れた位置のレンズホルダ４の外表面上の凹部４４に形成されるため、第一実施例の反射型光電センサ１と同様に、反射型光電センサ１が、ＦＡ現場など、水、油、薬品などの液体が使用される環境で使用されてウェルドラインから前記液体が浸透しても、ケース３の開放面には到達することはなく、したがってケース３の開放面からケース３の内部に浸透することはなく、ケース３内部の部品に悪影響を与えることがない。
【００３９】
次に、この発明の第三実施例の反射型光電センサを示す。第三実施例の反射型光電センサの構成要素は第一実施例のそれと同じで、ケースのみ形状が異なり、第一実施例と同様にインサート成形によって製造される。
【００４０】
図８は第三実施例の反射型光電センサにおけるケース３の外観図である。図８において、上述した図３にて示されるケース３と同一の構成要素については同一の符号を付与し説明を簡略する。ケース３の開放面に接する面の内表面上の開放面に接する位置に凹部３４が設けられる。ケース３に、図示しない第一実施例と同じレンズホルダを挿入すると、凹部３４が前記レンズホルダの外表面に覆われる。ここで、凹部３４におけるケース３の開放面から凹部３４の端部までの長さＬより、ケース３内に挿入される部分のレンズホルダの長さを長くしておく。このようにすると、ケース３に前記レンズホルダが挿入されると、凹部３４におけるケース３の開放面側のみレンズホルダの外表面に覆われずに開放され、その他はレンズホルダの外表面に覆われる。インサート成形において、この開放された空間から凹部３４へ成形樹脂が流入し、成形樹脂同士が凹部３４において衝突して冷却されて凝固し、その位置にウェルドラインが形成される。
【００４１】
この発明による反射型光電センサを用いると、ウェルドラインが成形樹脂の外表面に表れないため、反射型光電センサが、ＦＡ現場など、水、油、薬品などの液体が使用される環境で使用されても、前記液体はケース３内部に浸透することはなく、ケース３内部の部品に悪影響を与えることがない。
【００４２】
また、この発明を用いるとインサート成形時にウェルドラインが発生しても光電センサのケース内部に前記液体が浸透しないため、ウェルドラインの発生を制御するための成形条件の調整や、金型温度の調整などの成形時における調整工数を削減することが出来き、また成形樹脂の選択範囲もひろがる。
【００４３】
【発明の効果】
この発明によれば、光電センサが、ＦＡ現場など、水、油、薬品などの液体が使用される環境で使用されても、前記液体は光電センサのケース内部に浸透することはなく、ケース内部の投光素子や受光素子や投光素子を駆動する投光回路や受光素子の受光信号を電気処理する受光回路などに悪影響を与えることがない。
【図面の簡単な説明】
【図１】この発明の第一実施例である反射型光電センサの外観図である。
【図２】第一実施例の反射型光電センサにおけるケースの外観図である。
【図３】第一実施例の反射型光電センサの組立図である。
【図４】レンズホルダと表示カバーとケーブルアッシーとが挿入されたケースである。
【図５】成形金型にケースを設置した図である。
【図６】インサート成形後の反射型光電センサである。
【図７】この発明の第二実施例の反射型光電センサを側面から見た図である。
【図８】この発明の第三実施例の反射型光電センサにおけるケースの外観図である。
【符号の説明】
１    反射型光電センサ
２    レンズ部材
２１    投光レンズ
２２    受光レンズ
３    ケース
３１、３４    凹部
３２    凸部
３３    凹部
４    レンズホルダ
４１    穴
４２    センサ取り付け穴
４３    凸部
４４    凹部
５    投受光基板
５１    投光素子
５２    受光素子
６    表示カバー
６１    凸部
６２    感度ボリウム
６３    レンズ部
６４    凸部
７    表示基板
７０    表示部
７１    安定表示灯
７２    動作表示灯
８    ケーブルアッシー
８１    ケーブル
８２    ケーブルホルダ
９    ゲート
【図１】
2004257857.tif 000003
【図２】
2004257857.tif 000004
【図３】
2004257857.tif 000005
【図４】
2004257857.tif 000006
【図５】
2004257857.tif 000007
【図６】
2004257857.tif 000008
【図７】
2004257857.tif 000009
【図８】
2004257857.tif 000010